(57)【特許請求の範囲】
【請求項１】
デジタル放送信号で送信される放送番組の情報を収録し、再生する放送番組収録再生装置であって、
連続して入力されるデジタル放送信号のトランスポートストリーム（ＴＳ）から、所定のＴＳパケット数分を１組のデータファイルとする所定のサイズのＴＳファイルを、連続番号及び／又はタイムスタンプ時間情報を有するＴＳ解析に要する情報を含むファイルヘッダを付して生成するＴＳファイル生成手段と、
所定数のＴＳパケットを前記ＴＳファイル生成手段により生成したＴＳファイルを順次記憶する記憶手段と、
前記ＴＳファイル生成手段により生成されるＴＳファイルを順次、挿抜可能な記録媒体に収録するＴＳファイル収録手段と、
前記記録媒体が挿抜された時点の対応するＴＳファイルを検出し、前記挿抜に起因して前記記録媒体から収録が欠落したＴＳファイルを特定し、前記欠落したＴＳファイルに対応するＴＳファイルを前記記憶手段から読み出して、再挿入された前記記録媒体の欠落したＴＳファイルを補間し、一連のＴＳファイルを再構成するＴＳファイル制御手段とを備えることを特徴とする放送番組収録再生装置。
【請求項２】
デジタル放送信号で送信される放送番組の情報を収録し、再生する放送番組収録再生装置として機能するコンピュータを、
連続して入力されるデジタル放送信号のトランスポートストリーム（ＴＳ）から、所定のＴＳパケット数分を１組のデータファイルとする所定のサイズのＴＳファイルを、連続番号及び／又はタイムスタンプ時間情報を有するＴＳ解析に要する情報を含むファイルヘッダを付して生成するＴＳファイル生成手段、
所定数のＴＳパケットを前記ＴＳファイル生成手段により生成したＴＳファイルを順次記憶する記憶手段と、
前記ＴＳファイル生成手段により生成されるＴＳファイルを順次、挿抜可能な記録媒体に収録するＴＳファイル収録手段、及び
前記記録媒体が挿抜された時点の対応するＴＳファイルを検出し、前記挿抜に起因して前記記録媒体から収録が欠落したＴＳファイルを特定し、前記欠落したＴＳファイルに対応するＴＳファイルを前記記憶手段から読み出して、再挿入された前記記録媒体の欠落したＴＳファイルを補間し、一連のＴＳファイルを再構成するＴＳファイル制御手段として機能させるための放送番組収録再生用プログラム。
【発明の詳細な説明】
【技術分野】
【０００１】
本発明は、放送番組の収録及び再生に関し、特に、デジタル放送の放送番組収録再生装置及び放送番組収録再生プログラムに関する。
【背景技術】
【０００２】
放送事業者は、放送法第５条（放送番組の保存）の規定に基づいて、放送番組を放送と同時に録画、録音（以下、同録と称する。）して所定期間保存することが義務付けられている。例えば、３カ月分の放送番組を同録保存するには、約２，０００時間分の記録が必要となり、磁気テープなどの記録媒体により保管される。
【０００３】
一方で、テレビ放送は、従来のアナログ放送からデジタル放送に移行しつつある。これは放送技術、サービス、番組構成等を一変させるもので、アナログ放送では１放送事業者に１つの電波（放送番組）が割り当てられていたのに対して、デジタル放送では複数の放送事業者が１つの（あるいは、１つの放送事業者が複数の放送番組で）電波を共有するようになる。また、デジタル放送においては、番組内容に画像、音声、データがあり、これらが所定の符号化方式によりデジタル化され、１つのトランスポートストリーム（以下、ＴＳと称する。）にまとめられている。
【０００４】
図１は、デジタル放送を行うための装置の一例の系統図を示している。図１において、放送事業者Ａは多重化装置（一次ＭＵＸ）２０１において、画像、音声、データを多重化し、例えばＭＰＥＧ２方式により圧縮、デジタル化して１つのＴＳにまとめる。これが符号２９１で示す放送事業者ＡのＴＳとなる。同様に、放送事業者Ｂも多重化装置（一次ＭＵＸ）２０２により画像、音声、データを１つのＴＳにまとめ、符号２９２で示す放送事業者ＢのＴＳとなる。これら放送事業者ＡおよびＢのそれぞれＴＳ２９１，２９２に、ＥＰＧ（電子番組情報）２２１が多重化装置（ＩＳＤＢ ＭＵＸ）２０３によりさらに多重化されて１つのＴＳ２９３にまとめられる。このＴＳ２９３はスクランブル装置（ＳＣＲ）２０４において暗号化された後（暗号化された信号を符号２９４で示す。）、送信機２０５から放送（符号２９５で示す。）される。
【０００５】
この場合に使用される従来のデジタル放送用同録装置は、ＴＳをそのまま記録するものが一般的である。図１において、同録装置ａ２１１、同録装置ｂ２１２、同録装置ｃ２１３がそれらである。また、それら同録装置は、ＤＡＴ（Ｄｉｇｉｔａｌ Ａｕｄｉｏ Ｔａｐｅｒｅｃｏｒｄｅｒ）やＬＴＯ（ＬｉｎｅａｒＴａｐｅ Ｏｐｅｎ）等の磁気テープを用いた記録装置であり、それぞれＴＳ２９１，ＴＳ２９２，ＴＳ２９４をそのまま記録している。
【０００６】
また、磁気テープによる同録は、磁気テープの長さ方向に時間を基準にして記録される。このため、磁気テープに記録された放送番組を解析しようとする場合に、通常、別の装置を準備して同録動作を維持する工夫が必要となる。そこで、ＴＳパケットを所定のサイズにまとめたＴＳファイル構造にて管理することにより、放送番組の解析の利便性を向上させた同録装置が開示されている（例えば、特許文献１参照）。
【特許文献１】特開２００３‐０６１０２２号公報
【発明の開示】
【発明が解決しようとする課題】
【０００７】
前述したように、例えば磁気テープによる同録を中断させないためには、少なくとも２台の同録装置を用意し、一方の同録装置が磁気テープエンド近くになったら、他方の同録装置を起動して同録を始める必要がある。このため、同録装置が複数台必要になったり、また、記録された磁気テープに他の磁気テープとオーバーラップする部分が生じてしまう。
【０００８】
特許文献１に開示される技術では、ＴＳファイル構造にて管理することにより、前述したオーバーラップを解消させて、放送番組の解析の利便性を向上させることができるが、１つの磁気テープの同録を中断して解析が所望されることがやむを得ず生じるような場合も考えられる。このような場合に、より利便性を向上させた同録装置を提供されることが望まれる。
【０００９】
本発明の目的は、一連の放送番組を磁気テープなどの１つの記録媒体に収録する動作を中断した場合にも、再び一連の放送番組を再構成して当該記録媒体に収録することを可能とする放送番組収録再生装置及び放送番組収録再生プログラムを提供することにある。
【課題を解決するための手段】
【００１０】
上記目的を達成するために、本発明のデジタル放送の放送番組収録再生装置は、入力されたデジタル放送信号のＴＳから生成した所定数のＴＳファイルを記憶する記憶手段を備え、伝送されてくるＴＳパケットから順次生成したＴＳファイルをこの記憶手段に記憶すると同時に、ＬＴＯ等の磁気テープに収録し、該磁気テープへの収録の開始及び停止タイミング（磁気テープの挿入及び抜き出しに連動したものとできる。）の検出に基づいて、当該ＴＳファイルのヘッダ情報を監視し、当該磁気テープの挿抜に関わらず、再挿入した磁気テープに収録する放送番組を一連のＴＳファイルへと再構成するようにした。
【００１１】
即ち、本発明のデジタル放送の放送番組収録再生装置は、デジタル放送信号で送信される放送番組の情報を収録し、再生する放送番組収録再生装置であって、連続して入力されるデジタル放送信号のトランスポートストリーム（ＴＳ）から、所定のＴＳパケット数分を１組のデータファイルとする所定のサイズのＴＳファイルを、連続番号及び／又はタイムスタンプ時間情報を有するＴＳ解析に要する情報を含むファイルヘッダを付して生成するＴＳファイル生成手段と、所定数のＴＳパケットを前記ＴＳファイル生成手段により生成したＴＳファイルを順次記憶する記憶手段と、前記ＴＳファイル生成手段により生成されるＴＳファイルを順次、挿抜可能な記録媒体に収録するＴＳファイル収録手段と、前記記録媒体が挿抜された時点の対応するＴＳファイルを検出し、前記挿抜に起因して前記記録媒体から収録が欠落したＴＳファイルを特定し、前記欠落したＴＳファイルに対応するＴＳファイルを前記記憶手段から読み出して、再挿入された前記記録媒体の欠落したＴＳファイルを補間し、一連のＴＳファイルを再構成するＴＳファイル制御手段とを備えることを特徴とする。
【００１２】
また、本発明のデジタル放送の放送番組収録再生プログラムは、デジタル放送信号で送信される放送番組の情報を収録し、再生する放送番組収録再生装置として機能するコンピュータを、連続して入力されるデジタル放送信号のトランスポートストリーム（ＴＳ）から、所定のＴＳパケット数分を１組のデータファイルとする所定のサイズのＴＳファイルを、連続番号及び／又はタイムスタンプ時間情報を有するＴＳ解析に要する情報を含むファイルヘッダを付して生成するＴＳファイル生成手段、所定数のＴＳパケットを前記ＴＳファイル生成手段により生成したＴＳファイルを順次記憶する記憶手段、前記ＴＳファイル生成手段により生成されるＴＳファイルを順次、挿抜可能な記録媒体に収録するＴＳファイル収録手段、及び前記記録媒体が挿抜された時点の対応するＴＳファイルを検出し、前記挿抜に起因して前記記録媒体から収録が欠落したＴＳファイルを特定し、前記欠落したＴＳファイルに対応するＴＳファイルを前記記憶手段から読み出して、再挿入された前記記録媒体の欠落したＴＳファイルを補間し、一連のＴＳファイルを再構成するＴＳファイル制御手段として機能させるための放送番組収録再生用プログラムとして特徴付けられる。
【発明の効果】
【００１３】
本発明によれば、同録対象となるＴＳに対して解析及び転送に適したＴＳの複数パケット単位でファイル化を行うとともに、該磁気テープへの収録の開始及び停止タイミングを監視することにより、放送時間情報からの検索だけでなく、画像、音声、データ等に分割した放送内容からの検索を容易に可能としながら、１つの磁気テープの同録を中断して解析を行い、再び該磁気テープに放送番組を収録することができ、磁気テープの編集作業の効率化、保存管理の効率化などの利便性が極めて向上するようになる。
【００１４】
また、ＴＳの解析に必要な部分だけを当該磁気テープから編集したり、収録した磁気テープの解析したりするのに、１本の磁気テープを用いて任意の時刻で行うことができるようになる。
【発明を実施するための最良の形態】
【００１５】
以下に添付図面を参照し本発明による実施例の放送番組収録再生装置を詳細に説明する。図２は、本発明による実施例の放送番組収録再生装置の基本構成を示している。本実施例の放送番組収録再生装置は、ＴＳ処理装置３０８、ＴＳ収録手段（ＴＳ収録装置）（ＬＴＯ（ＲＥＣ））３２１、及びＴＳ再生手段（ＴＳ再生装置）（ＬＴＯ（ＰＬＡＹ））３３２を備える。ただし、ＴＳ収録装置（ＬＴＯ（ＲＥＣ））３２１、及びＴＳ再生装置（ＬＴＯ（ＰＬＡＹ））３３２は、随意、本実施例の放送番組収録再生装置の外部装置として構成することもできる。尚、本実施例の放送番組収録再生装置は、汎用のコンピュータ、好適にはワークステーションを用いて構成することができるが、専用化したハードウェア設計により実現することもできる。
【００１６】
ＴＳ処理装置３０８は、ＴＳ入力用Ｉ／Ｆ３０１、ＬＴＯ用Ｉ／Ｆ３０２、第１記憶手段（ＲＡＭ）３０３、第２記憶手段（ＨＤ）３０４、ＣＰＵ３０５、入出力Ｉ／Ｆ３０７及びＴＳ出力用Ｉ／Ｆ３０９を備える。ＣＰＵ３０５の制御により、ＰＣＩバス３０６を介してＴＳ入力用Ｉ／Ｆ３０１、ＬＴＯ用Ｉ／Ｆ３０２、第１記憶手段（ＲＡＭ）３０３、第２記憶手段（ＨＤ）３０４、入出力Ｉ／Ｆ３０７及びＴＳ出力用Ｉ／Ｆ３０９、又は後述する各手段を実現するために必要とされる制御回路（図示せず）の間でデータ通信を行うことができる。また、ここで、ＣＰＵ３０５の動作に必要なソフトウェアは図示しないＲＯＭ又は第２記憶手段（ＨＤ）３０４に格納しておくことができる。
【００１７】
ＣＰＵ３０５の制御により、ＴＳ入力用Ｉ／Ｆ３０１は、デジタル放送の放送ＴＳ信号（ＴＳ）３９１を入力し、入力されたＴＳ３９１のストリームを、例えばＰＣＩバス３０６を介してＤＲＡＭ等で構成された第１記憶手段（ＲＡＭ）３０３に格納する。尚、この第１記憶手段（ＲＡＭ）３０３は、ワークメモリとして機能するＲＡＭと後述するリングバッファメモリとして機能するＲＡＭを含む。
【００１８】
また、ＣＰＵ３０５の制御により、第１記憶手段（ＲＡＭ）３０３内のデータを読み取り、ＴＳフレームの解析を行う。この解析は、一般的な既知の解析であり、例えばＴＳフレームのフォーマット、同期等に異常がないかのチェックを行い、異常があれば入出力Ｉ／Ｆ３０７によりにより外部システム（図示しない）に対してアラーム等の制御信号３４１を出力することができる。
【００１９】
また、ＣＰＵ３０５の制御により、ＴＳフレームが正常であれば、幾つかのＴＳパケットを後述する所定のサイズにまとめたＴＳファイルを作成する。また、ＣＰＵ３０５の制御により、時刻情報、番組情報、システム情報等のＴＳ解析に必要な情報をまとめたファイルヘッダをこのＴＳファイルの生成と同時に付加して、ワークメモリとして機能するＲＡＭに格納する。尚、これらの情報は、システム管理インターフェース（図示しない）等から入出力Ｉ／Ｆ３０７に入力される情報を基に作成される。
【００２０】
また、ＣＰＵ３０５の制御により、適宜タイミングを見計らって、第１記憶手段（ＲＡＭ）３０３内のＴＳファイルを、ハードディスクアレイ等で構成された第２記憶手段（ＨＤ）３０４に順次転送することができる。
【００２１】
このＴＳファイルのファイルサイズは、以下のようにして予め定めることができる。前述したように、ＴＳファイル単位で管理可能とするためのヘッダが付加される。単に、１つのＴＳパケットごとに１つのＴＳファイルとして設定してしまうと、記憶されるＴＳデータに対し管理ヘッダの割合が大きくなり、記憶効率が落ちる。そこで、複数のＴＳパケットを後述する所定のサイズでまとめて１つのＴＳファイルを作ることにより、記憶効率を改善することができる。尚、ＴＳファイルのファイルサイズが大き過ぎると、ファイル転送に時間がかかってしまい、放送番組収録再生装置の共有資源（データ転送用バス、ワーク用ＲＡＭ、プログラム実行時間等）を占有する時間が増え、他の処理が待たされたり、スキップしたりしてしまうことがあることに留意して、適宜ＴＳファイルのファイルサイズを設定することができる。
【００２２】
また、ＴＳ解析を行う場合も、ファイルサイズが大き過ぎるとファイルを取り込む時間がかかったり、解析用ワークＲＡＭを余分に使ったりして効率が悪くなる。そこで、これらの点を考慮してＴＳファイルのファイルサイズを決定することができる。例えば、ＴＳパケットが２０４バイトであり、データ転送レートを考慮して、約２５０Ｍバイト（地上デジタル放送の場合で約１分間に相当する。）のサイズが考えられ、本実施例ではこれを一つの目安とした。尚、より詳細な例は、後述する。
【００２３】
図２において、第１記憶手段（ＲＡＭ）３０３のリングバッファメモリとして機能するＲＡＭは、２時間分のデータを記憶できる容量を有し、第２記憶手段（ＨＤ）３０４は、１日分のデータを記憶できる容量（地上デジタル放送の１日分を記憶する場合、約３６０Ｇバイト）を有するものとできる。尚、この第２記憶手段（ＨＤ）３０４については、外部記憶装置として構成してもよい。
【００２４】
また、第２記憶手段（ＨＤ）３０４は、信頼性を確保するためＲＡＩＤ（Ｒｅｄｕｎｄａｎｔ Ａｒｒｅｙｓ ｏｆ Ｉｎｄｅｐｅｎｄｅｎｔ Ｄｉｓｋｓ）構成とすることができる。例えば、第１記憶手段（ＲＡＭ）３０３のリングバッファメモリとして機能するＲＡＭから転送されたＴＳファイルを、順次第２記憶手段（ＨＤ）３０４に記憶するように構成することができる。更に、第２記憶手段（ＨＤ）３０４に記憶されているＴＳファイルは、ＣＰＵ３０５の制御により、磁気テープを記録媒体とするＴＳ収録装置（ＬＴＯ（ＲＥＣ））３２１に転送するように構成させてもよい。
【００２５】
また、ＣＰＵ３０５の制御により、入出力Ｉ／Ｆ３０７を介して第２記憶手段（ＨＤ）３０４内のＴＳファイルの転送要求があった場合（例えば、ＴＳファイルの解析などの要求）、該当するＴＳファイルからヘッダ情報を取り除き、ＴＳ再生信号３９５として再構成してＴＳ出力用Ｉ／Ｆ３０９を介して出力することができる。
【００２６】
ここで、後述で明らかになるが、第１記憶手段（ＲＡＭ）３０３のリングバッファメモリとして機能するＲＡＭの構成例では、ＴＳファイルが時系列的に書き替えられていくように動作する。具体的には、記憶すべきＴＳファイルが第１記憶手段（ＲＡＭ）３０３のメモリ容量を越えた場合は、一番古いファイルから順に上書きされていき、常に現時点から少なくとも２時間前までのＴＳファイルを記憶するように構成することができる。
【００２７】
上述したＴＳ収録装置（ＬＴＯ（ＲＥＣ））３２１は、第１記憶手段（ＲＡＭ）３０３のワークメモリとして機能するＲＡＭから転送されたＴＳファイルを順次磁気テープ（図示しない）に記録する。ここで、ＴＳ収録装置（ＬＴＯ（ＲＥＣ））３２１は、受け取ったＴＳファイルを内部のワークＲＡＭ（図示しない）に一旦蓄えてから磁気テープに書き込む。これは、磁気テープの書き込み速度が機械的な動作のため遅いからである。このように、ＴＳ収録装置（ＬＴＯ（ＲＥＣ））３２１では内部のワークＲＡＭを用いてデータのバッファリングと転送速度変換を行って磁気テープに記録する。
【００２８】
ＴＳ再生装置（ＬＴＯ（ＰＬＡＹ））３３２は、ＴＳ収録装置（ＬＴＯ（ＲＥＣ））３２１にセットされた磁気テープに記録されたＴＳファイルから再構成される放送番組を再生するために用いられる。従って、ＴＳ再生装置（ＬＴＯ（ＰＬＡＹ））３３２は、好適に、磁気テープに記録した放送番組を解析することができる。
【００２９】
また、本実施例の放送番組収録再生装置において、磁気テープに記録した放送番組の情報はＴＳファイルからなるので、放送番組として再生可能とするために、ＣＰＵ３０５の制御により、ＴＳ収録装置（ＬＴＯ（ＲＥＣ））３２１にセットされた磁気テープのＴＳファイルをヘッダ情報に従ってＬＴＯ用Ｉ／Ｆ３０２を介して読み出し、所定の放送番組に対応するヘッダ情報のＴＳファイルを抽出して、再びＬＴＯ用Ｉ／Ｆ３０２を介してＴＳ再生装置（ＬＴＯ（ＰＬＡＹ））３３２に送出するように動作する。
【００３０】
以上の一連の動作は、ＴＳ処理装置３０８で行われ、ＴＳの取り込み、ＴＳのフレーム管理、ＴＳのファイリング、及びＴＳのファイル転送等のどの動作も他を妨げることなく行われる。これは、一旦ＴＳファイルとなった段階では同録動作とファイル転送とは別個に扱うことができ、ＣＰＵ３０５の制御により生成されたＴＳ再生信号から記録中の番組解析も可能である。また、一連のＴＳ処理装置３０８で行われる動作は、例えば第２記憶手段（ＨＤ）３０４又はＲＯＭ（図示せず）に格納されるソフトウェアプログラムを用いてＣＰＵ３０５の制御により、実行することができる。ＴＳ処理装置３０８として機能する各構成手段を、図３に示す。
【００３１】
ＴＳ処理装置３０８は、ＴＳ入力手段１０１、ＴＳファイル生成手段１０２、ＴＳファイル制御手段１０３、記憶手段１０４、ＴＳファイル収録手段１０６及びＴＳ再生手段１０７を備える。また、記憶手段１０４は、図２示す第１記憶手段（ＲＡＭ）３０３のリングバッファメモリとして機能するＲＡＭにより構成することができる。さらに、ＴＳ入力手段１０１、ＴＳファイル生成手段１０２、ＴＳファイル制御手段１０３、ＴＳファイル収録手段１０６及びＴＳ再生手段１０７は、図２に示すＣＰＵ３０５の制御により実現することができる。
【００３２】
また、ＴＳファイル生成手段１０２は、ＴＳファイル番号付与手段１０２ａ及びヘッダ情報書込手段１０２ｂを有する。さらに、ＴＳファイル制御手段１０３は、外部記録媒体検出手段１０３ａ、ＴＳファイル番号監視手段１０３ｂ、ＴＳファイル番号比較手段１０３ｃ及びＴＳファイル列再構成手段１０３ｄを有する。
【００３３】
ＴＳ入力手段１０１は、連続して入力されるデジタル放送信号のトランスポートストリーム（ＴＳ）の放送ＴＳ信号を入力してＴＳファイル生成手段に出力する。
【００３４】
ＴＳファイル生成手段１０２は、所定のＴＳパケット数分を１組のデータファイルとする所定のサイズのＴＳファイルを、後述する連続番号及び／又はタイムスタンプ時間情報を付して生成し、ＴＳファイル制御手段１０３に出力する。例えば、ＴＳパケットが２０４バイトであるときは、データ転送を考慮して、約２５０Ｍバイト（地上デジタル放送の場合で約１分間）のサイズのＴＳファイルとする。
【００３５】
ＴＳファイル制御手段１０３は、ＴＳファイル生成手段１０２から取得した各々ヘッダ情報を有する所定数のＴＳファイルを記憶手段１０４に格納すると同時に、ＴＳファイル収録手段１０６に送出する。また、ＴＳファイル制御手段１０３は、ＴＳ収録装置（ＬＴＯ（ＲＥＣ））３２１において記録媒体（磁気テープ等）が挿抜された時点の対応するＴＳファイルを検出し、当該挿抜に起因して記録媒体から収録が欠落したＴＳファイルを特定し、当該欠落したＴＳファイルに対応するＴＳファイルを記憶手段１０４から読み出して、再挿入された記録媒体の欠落したＴＳファイルを補間し、一連のＴＳファイルを再構成するように機能する。
【００３６】
記憶手段１０４は、ＴＳファイル制御手段１０３からの所定数のＴＳファイルを順次更新するように記憶する。尚、記憶手段１０４は、前述した第１記憶手段（ＲＡＭ）３０３  におけるリングバッファメモリとして機能するＲＡＭに相当する。
【００３７】
ＴＳファイル収録手段１０６は、ＴＳファイル制御手段１０３から送出されるＴＳファイルを順次、所定の記録媒体（例えば、挿抜可能なＬＴＯ用磁気テープ）に収録するように機能する。
【００３８】
ＴＳ再生手段１０７は、ＴＳファイル制御手段１０３から入力されたＴＳファイルについてファイルヘッダを取り除き、ＴＳ再生信号（即ち、放送ＴＳ信号と等価な信号）を生成し、外部に出力する。この外部出力されたＴＳ再生信号は、解析に用いることや、再放送に用いることができる。また、ＴＳ再生手段１０７は、図示しない外部機器からＴＳファイル化するようにＴＳ再生信号を取得して、ＴＳファイル制御手段１０３に送出するように機能することができるように構成してもよい。
【００３９】
ＴＳファイル番号付与手段１０２ａは、ＴＳ入力手段１０１を介して入力した放送ＴＳ信号から所定サイズのＴＳファイルを生成するとともに、各ＴＳファイルに連続番号及び／又はタイムスタンプ時間情報を付与する。この連続番号は、ＴＳファイル毎に識別可能であればよく、例えば１日分のＴＳファイル毎にインクリメント又はデクリメントするように設定することができる。また、タイムスタンプ時間情報は、ＴＳファイル毎に付与される時間情報としての年，日，時，分を含む情報（例えば、「２００７年１１月１５日２０時１８分」であれば「２００７１１１５２０１８」としたコード情報で表される。）であり、ＴＳファイル毎に識別可能とする。従って、この記憶手段１０４において、これら連続番号及び／又はタイムスタンプ時間情報によって識別可能なように、所定のＴＳファイル数（例えば、１２０個）で巡回するようにバッファリングすることができる。
【００４０】
ヘッダ情報書込手段１０２ｂは、外部から取得される時刻情報、番組情報、システム情報等のＴＳ解析に必要な情報の信号（図２に示す制御信号３４１）を取得して、各情報をＴＳファイル番号付与手段１０２ａにより付与されたＴＳファイル番号のＴＳファイルに関連付けて、ＴＳファイル毎のヘッダに書き込むように機能する。
【００４１】
外部記録媒体検出手段１０３ａは、ＴＳファイル収録手段１０６の収録に用いられる所定の記録媒体（例えば、挿抜可能なＬＴＯ用磁気テープ）の操作者による挿抜を検出するように機能する。例えば、ＬＴＯ用磁気テープが挿入されているときはフラグ値「１」を、ＬＴＯ用磁気テープが抜き取られているときはフラグ値「０」を、ＴＳファイル番号監視手段１０３ｂ及びＴＳファイル列再構成手段１０３ｄに送出する。
【００４２】
ＴＳファイル番号監視手段１０３ｂは、記憶手段１０４に格納されているＴＳファイルのＴＳファイル番号を監視する機能を有し、特に、外部記録媒体検出手段１０３ａから送出される所定の記録媒体の挿抜状態を示すフラグ値を関連付けて各ＴＳファイル毎に監視するように機能する。更に、ＴＳファイル番号監視手段１０３ｂは、ＴＳファイル収録手段１０６により収録されるＴＳファイルのＴＳファイル番号を、所定の記録媒体の挿抜状態を示すフラグ値を関連付けて各ＴＳファイル毎に監視するように機能する。
【００４３】
ＴＳファイル番号比較手段１０３ｃは、ＴＳファイル番号監視手段１０３ｂにより監視されている、記憶手段１０４に格納されているＴＳファイルのＴＳファイル番号と、ＴＳファイル収録手段１０６により収録されるＴＳファイルのＴＳファイル番号とを逐次比較し、未収録の旨を示すフラグ値を有する特定のＴＳファイルをＴＳファイル列再構成手段１０３ｄに送出するように機能する。すなわち、ＬＴＯ用磁気テープが抜き取られている場合のフラグ値「０」のＴＳファイルは、記憶手段１０４には順次格納されるが、ＴＳファイル収録手段１０６によって該ＬＴＯ用磁気テープに収録されないことになる。このため、ＴＳファイル番号比較手段１０３ｃにより、いずれのＴＳファイル番号を有するＴＳファイルが該ＬＴＯ用磁気テープに収録されていないかを把握するように、未収録の旨を示すフラグ値の状態に応じたＴＳファイルを特定する。特定したＴＳファイルは、記憶手段１０４に別途格納するように構成しても良いし、記憶手段１０４に格納されている当該特定されたＴＳファイルのファイルヘッダに未収録の旨の情報を書き込むように構成してもよい。
【００４４】
ＴＳファイル列再構成手段１０３ｄは、外部記録媒体検出手段１０３ａによって検出される未収録の旨を示すフラグ値から収録済の旨を示すフラグ値に切り替わる時点のＴＳファイルを記憶手段１０４から探索し、該切り替わる時点のＴＳファイルをＴＳファイル収録手段１０６に送出する前に、ＴＳファイルのＴＳファイル番号比較手段１０３ｃから特定された未収録の旨を示すフラグ値を有するＴＳファイルを送出し、連続順でＴＳファイル収録手段１０６により連続順で収録可能とするタイミングに調整して補間し、一連のＴＳファイル列を再構成するように機能する。
【００４５】
このように、収録途中で放送番組の解析を行うために、操作者の操作により当該磁気テープが外部に取り出された場合でも、所定数のＴＳファイル（例えば、後述するように１２０個のＴＳファイルとする場合、約２時間分のＴＳファイルとなる。）は、順次記憶手段１０４に記憶され続ける。当該磁気テープが外部に取り出された瞬間（収録されなくなった瞬間）のＴＳファイルの内容が、記憶手段１０４に記録されている間に、当該磁気テープを再度挿入すれば、再び当該磁気テープにＴＳファイルが収録されるだけでなく、あたかも当該磁気テープが外部に取り出されなかったかのように、一連のＴＳファイルに再構成した上で当該磁気テープに収録することができる。
【００４６】
本実施例の放送番組収録再生装置による動作の理解を高めるために、ＴＳファイル生成手段１０２、記憶手段１０４及びＴＳファイル収録手段１０６の動作の概略図を図４〜６に示している。図４は、ＴＳファイルを収録する通常状態を示す図である。図５は、ＴＳファイルの収録に用いる磁気テープが抜き取られた状態を示す図である。図６は、ＴＳファイルを再収録する通常状態を示す図である。
【００４７】
ＴＳファイル生成手段１０２によって生成されたＴＳファイルは、記憶手段１０４及びＴＳファイル収録手段１０６に同時に送出され、それぞれ記憶及び収録される。例えば、図４において、ＴＳファイル生成手段１０２によって生成されたＴＳファイルｎ＋１２０（ｎは、自然数）は、記憶手段１０４及びＴＳファイル収録手段１０６に同時にそれぞれ記憶及び収録される。尚、記憶手段１０４には、ＴＳファイルｎ＋１２０以前の１２０個のＴＳファイルが格納されており、新たなＴＳファイルｎ＋１２０が書き込まれると同時に、１２０個前のＴＳファイルｎは、廃棄される。このように動作する記憶手段１０４は、リングバッファメモリとも称される。また、ＴＳファイル収録手段１０６では、例えば１日分のＴＳファイルを収録するように、順次ＴＳファイルが収録される。
【００４８】
ここで、図５を参照して、磁気テープ内の放送番組の解析のために、ＴＳファイル収録手段１０６によって収録対象の磁気テープがＴＳファイルｎ＋１２１〜ｎ＋１２３の時点で操作者により抜き取られていた場合を考える。この場合、記憶手段１０４には、ＴＳファイルｎ＋１２３以前の１２０個のＴＳファイルが格納されており、新たなＴＳファイルｎ＋１２３が書き込まれると同時に、１２０個前のＴＳファイルｎ＋３は、廃棄される。また、ＴＳファイルｎ＋１２１の時点から磁気テープが再挿入されるまでのＴＳファイルは、少なくとも磁気テープには収録されない状態が続くことになる。
【００４９】
次に、図６を参照して、操作者により本実施例の放送番組収録再生装置に再挿入され、ＴＳファイル収録手段１０６によって収録対象の磁気テープがＴＳファイルｎ＋１２４の時点で同録可能な状態にされた場合を考える。この場合、記憶手段１０４からＴＳファイルｎ＋１２１〜ｎ＋１２３を抽出して、ＴＳファイルｎ＋１２４前の位置（即ち、ＴＳファイルｎ＋１２４と既収録のＴＳファイルｎ＋１２０との間）に挿入し、一連のＴＳファイルを再構成して、ＴＳファイル収録手段１０６による収録を継続する。
【００５０】
これにより、あたかも当該磁気テープが外部に取り出されなかったかのように、一連のＴＳファイルに再構成した上で当該磁気テープに収録することができる。
【００５１】
実際に設計を試みた構成に基づいて更に詳細に説明する。ＴＳファイル収録手段１０６により収録する磁気テープ１本の記録できる容量は、４００Ｇバイトとした。また、記憶手段１０４には、３２Ｇバイトのキャッシュメモリを用いた。１つのＴＳパケットは、現在のＩＳＤＢ標準にて２０４バイトであり、１つのＴＳファイルのサイズを、３２．５Ｍｂｐｓで伝送されるＴＳパケットを１分（６０秒）間分として設定して、２４３．７５Ｍバイト（＝３２．５／８×６０）とした。即ち、１つのＴＳファイルのサイズは、１，１９４，８５３パケット分となる。磁気テープは４００Ｇバイトとしたので、１本の磁気テープあたり１，６４１ファイル分を収録することができる。これは、１時間で収録されるＴＳファイルは６０個であり、１日（２４時間）分を収録するのに必要とされるファイル数は、１，４４０個分（＝６０×２４）であり、１本の磁気テープで１日分のＴＳファイル（即ち、１日分の放送番組）を収録することができることを意味している。これにより、１日１回の磁気テープの交換で済む。更に、１時間（６０分）で収録されるＴＳファイルは６０個であるから、１分間分のＴＳファイルの容量（＝２４３．７５ＭＢ）を１時間格納するには約１５Ｇバイト（＝６０×２４３．７５）となる。これは、記憶手段１０４には、３２Ｇバイトのキャッシュメモリを用いれば、約２時間分のＴＳファイルを格納することができることを意味している。
【００５２】
また、本実施例に基づいて実際に設計したＬＴＯ及び放送番組収録再生装置は、収録時の動作レート４０〜８０Ｍバイト／秒であり、１つのＴＳファイルを当該磁気テープに収録するのに要する時間は、５〜１０秒となった。また、磁気テープを再挿入して、ＴＳファイルのヘッダの検出し、一連のＴＳファイルを再構成するのに要する時間は、約３０秒となった。従って、この３０秒分の調整時間分のＴＳパケット数を考慮しても、３２Ｇバイトのキャッシュメモリを用いれば、約２時間分のＴＳファイルを格納することができることを確認した。
【００５３】
従って、同録中であればＴＳ再生信号を用いて図示しない外部再生装置により放送番組の解析を行うことができ、或いは又、ＬＴＯなどの磁気テープから放送番組の解析を行うことができる。特に、磁気テープを用いた解析が２時間以内のものであれば、ＬＴＯなどの磁気テープから放送番組の解析を行った後で、当該磁気テープをＬＴＯに再挿入した場合にも、あたかも磁気テープが挿抜されなかったかのように放送番組の情報を当該磁気テープに収録することができる。また、磁気テープを用いた解析が２時間を越える場合には、１日分の放送番組の情報を格納している第２記憶手段（ＨＤ）３０４から編集するような機能を設けてもよい。
【００５４】
このように、本実施例の放送番組収録再生装置によれば、同録中に同時に放送番組を解析することができ、且つ、同録を一時中断しても、放送番組再収録における磁気テープの再構成を可能とする。
【００５５】
このようにして、磁気テープを収録途中で取り出して、巻き戻し再生や、コマ送り再生等の機能を使ったＴＳ解析を行った後でも、あたかもＴＳ解析を行わなかったかのように、磁気テープの収録状態を維持することができ、極めて放送番組の管理性能が向上するようになる。
【００５６】
前述したように、実施例の放送番組収録再生装置において、制御部及び記憶部を有するコンピュータを好適に用いることができる。また、放送番組収録再生装置として機能するコンピュータにおいて、図３に示す各手段を機能させるのに必要となるプログラムを前述した第２記憶手段３０４に格納することができる。即ち、放送番組収録再生装置として機能するコンピュータに、ＣＰＵによって所定のプログラムを実行させることにより、これら各構成要素の有する機能を実現させることができる。また、そのようなプログラムは、画像符号化装置又は画像復号装置としてのコンピュータで利用されるＯＳ上のソフトウェアの一部で構成させることができる。
【００５７】
上述の実施例については代表的な例として説明したが、本発明の趣旨及び範囲内で、多くの変形及び置換することができることは当業者に明らかである。例えば、前述の実施例において、ＬＴＯを内臓する装置として説明したが、外部に設けてもよく、収録に用いる記録媒体は、磁気テープに限定されるものではない。また、各メモリに用いたサイズや動作レートは、適宜用途に応じて変更するように設定することができる。従って、本発明は、上述の実施例によって制限するものと解するべきではなく、特許請求の範囲によってのみ制限される。
【産業上の利用可能性】
【００５８】
本発明は、放送番組の収録及び再生を扱う用途に有用である。
【図面の簡単な説明】
【００５９】
【図１】デジタル放送を行うための装置の一例の系統図を示す図である。
【図２】本発明による実施例の放送番組収録再生装置の基本構成を示す図である。
【図３】本発明による実施例のＴＳ処理装置３０８として機能する各構成手段を示す図である。
【図４】ＴＳファイルを収録する通常状態を示す図である。
【図５】ＴＳファイルの収録に用いる磁気テープが抜き取られた状態を示す図である。
【図６】ＴＳファイルを再収録する通常状態を示す図である。
【符号の説明】
【００６０】
１０１  ＴＳ入力手段
１０２  ＴＳファイル生成手段
１０２ａ  ＴＳファイル番号付与手段
１０２ｂ  ヘッダ情報書込手段
１０３  ＴＳファイル制御手段１０３
１０３ａ  外部記録媒体検出手段
１０３ｂ  ＴＳファイル番号監視手段
１０３ｃ  ＴＳファイル番号比較手段
１０３ｄ  ＴＳファイル列再構成手段
１０４  記憶手段
１０６  ＴＳファイル収録手段
１０７  ＴＳ再生手段
２０１  多重化装置（一次ＭＵＸ）
２０２  多重化装置（一次ＭＵＸ）
２０３  多重化装置（ＩＳＤＢ ＭＵＸ）
２０４  スクランブル装置（ＳＣＲ）
２０５  送信機
２１１  同録装置ａ
２１２  同録装置ｂ
２１３  同録装置ｃ
３０１  ＴＳ入力用Ｉ／Ｆ
３０２  ＬＴＯ用Ｉ／Ｆ
３０３  第１記憶手段（ＲＡＭ）
３０４  第２記憶手段（ＨＤ）
３０５  ＣＰＵ
３０６  ＰＣＩバス
３０７  入出力Ｉ／Ｆ
３０８  ＴＳ処理装置
３０９  ＴＳ出力用Ｉ／Ｆ
３２１  ＴＳ収録装置（ＬＴＯ（ＲＥＣ））
３３２  ＴＳ再生装置（ＬＴＯ（ＰＬＡＹ））
【図１】
0005154897.tif 000002
【図２】
0005154897.tif 000003
【図３】
0005154897.tif 000004
【図４】
0005154897.tif 000005
【図５】
0005154897.tif 000006
【図６】
0005154897.tif 000007